(57)【要約】本発明は一体化されたエネルギー供給手段を有するチップカードに関する。エネルギー変換器は、詳細には太陽電池、好適にはポリマー太陽電池である。【特許請求の範囲】
【請求項１】
エネルギー変換器を有するチップカードにおいて、前記エネルギー変換器は前記チップカードの表面領域の一部分または全体を占めることにより、前記チップカードのエネルギー供給手段が前記チップカードの上に一体化されて存在するチップカード。
【請求項２】
請求項１に記載のチップカードにおいて、前記エネルギー変換器は光起電性の電池、詳細には太陽電池であるチップカード。
【請求項３】
請求項２に記載のチップカードにおいて、前記太陽電池はポリマー太陽電池であるチップカード。
【請求項４】
請求項１〜３のうちのいずれか一項に記載のチップカードにおいて、前記エネルギー変換器は、前記チップカードの底面と、平面と、前記面のうちの一方にある複数の部分領域とのうちの、少なくとも１つを覆っているチップカード。
【請求項５】
請求項１〜４のうちのいずれか一項に記載のチップカードにおいて、前記エネルギー変換器は半透明であるチップカード。
【請求項６】
請求項１〜５のうちのいずれか一項に記載のチップカードにおいて、前記エネルギー変換器は有色および不透明のうちの少なくとも１つであるチップカード。
【請求項７】
請求項１〜６のうちのいずれか一項に記載のチップカードにおいて、前記エネルギー変換器は前記チップカードのディスプレイ装置の上方に付着されているチップカード。
【請求項８】
請求項１〜７のうちのいずれか一項に記載のチップカードにおいて、前記エネルギー変換器は前記チップカード上に直接的に作製可能であるチップカード。
【発明の詳細な説明】
【技術分野】
【０００１】
一体型エネルギー変換器を有するチップカード。
本発明はチップカードに関し、詳細には、使用者によって、または環境条件の変化によって影響を与えることができる制御可能な機能を有し、かつ一体化されたエネルギー供給手段を必要とするチップカードに関する。
【背景技術】
【０００２】
チップ、詳細には情報処理機能を有するチップカード（intelligente Chipkarten ）は、日常生活の全ての領域において、ますます用いられている。全ての種類のカード、例えばクレジットカードおよびセキュリティカードなどは、検索可能であることおよび変更可能であることのうちの少なくとも１つであるか、またはそれらのうちの少なくとも１つとなるデータをより多量に貯蔵している。
【０００３】
「情報量の少ない（low information ）」データ貯蔵装置と、一体型トランスポンダまたはディスプレイ装置とのうちの少なくとも１つを有するチップカード上で繰り返し操作される機能のために、それらの素子にはエネルギー供給手段が必要である。
【０００４】
それらのカードの価格の低さ、およびプラスチック製造技術と矛盾しないような、それらのカード用の適切なエネルギー供給手段は、現在のところ存在しない。
【発明の開示】
【発明が解決しようとする課題】
【０００５】
したがって本発明の対象は、高価でないこと、およびチップカードの作製工程に一体化可能であることのうちの少なくとも１つを備えるエネルギー供給手段を有するチップカードである。
【課題を解決するための手段】
【０００６】
本発明は、エネルギー変換器を有するチップカードに関する。このエネルギー変換器はチップカードの表面領域の一部分または全体を占めており、チップカードのエネルギー供給手段がそのチップカード上に一体化されて存在する。
【０００７】
ポリマー太陽電池すなわち「有機太陽電池」は、一般的な印刷工程によって（または、より高価には、ＰＶＤ工程によって）透明または半透明シートを含む多くの基板の上に、低廉に作製可能である。太陽電池自身は、完全に吸光するようにまたは半透明であるように作製可能である。
【０００８】
したがってポリマー太陽電池は、チップカードへ一体化させるための要件を全て満たしている。詳細には、ポリマー太陽電池をチップカードの印刷されていない部分領域に不透明に付着させること、および、印刷された部分領域に半透明に付着させることが可能であるため、ポリマー太陽電池は、その一体化に関して非常に柔軟である。チップカード上の透明な基板に対して、例えば積層化などによって付着させることもまた可能である。
【０００９】
半透明であるものは、独国特許出願第１０１４０９９１号（２００１Ｐ１５４８８ＤＥ）によって公知である。
【発明を実施するための最良の形態】
【００１０】
本明細書において、「ポリマー太陽電池」の「ポリマー」、「有機材料」および「機能
性ポリマー」の語には、光起電性を有する全ての種類の有機材料、金属有機材料、および有機／無機合成材料のうちの少なくとも１つと、コンポジット（ハイブリッド）とが含まれる。それらの材料は、例えば、英語では「プラスチック（plastics）」などの語によって示される全ての材料を意味する。これには、従来型のダイオード（ゲルマニウム、シリコン）を形成する半導体および典型的な金属導体を除いて、全ての種類の材料が含まれる。したがって、この語を含炭素材料としての有機材料という教義上の意味に限定する意図はなく、むしろ、例えばシリコーン類などの最も広い意味での使用をも意図している。さらに、この語が分子の大きさに関して、詳細にはポリマー材料およびオリゴマー材料のうちの少なくとも１つであることに関して、何らかの限定を受けることは意図されておらず、代わりに「低分子（small molecules ）」を使用することも充分に適切である。「機能性ポリマー」における「ポリマー」の語は、歴史に由来するものであり、何らかのポリマー化合物が実際に存在することについて述べるものではない。「機能性ポリマー」は、半導体、導体、および絶縁体材料のうちの少なくとも１つを意味することができる。
【００１１】
エネルギー変換器を、チップカードに対して、１つの面または２つの面、および、面全体または部分領域にのみ、付着させることが可能である。例えば、チップカードのある実施態様では、エネルギー変換器を底面にのみ備えることが可能である。例えばポリマー太陽電池などのエネルギー変換器を、チップカードの平面に、またはチップカードの平面の部分領域に、半透明または不透明に付着させることもまた可能である。
【００１２】
詳細には、ポリマー太陽電池を、チップカードに存在するディスプレイ装置（電子ペーパーディスプレイ、ＬＣＤ、ＯＬＥＤディスプレイなど）の上方に半透明に設けることもまた可能である。
【００１３】
光起電性活性な色素／機能性ポリマーからポリマー太陽電池を作製することが可能であるため、印刷インクの代わりにポリマー太陽電池を用いて、チップカードを印刷および印字することができる。例えば、ロゴ、像、または文字を、ポリマー太陽電池を用いてチップカードの上に作製することができる。
【００１４】
例えばエネルギー変換器が、有機機能性ポリマーからチップカード自身と同じ印刷工程によって作製されるポリマー太陽電池である時には、エネルギー変換器の作製は、チップカードを作製するために用いられる印刷工程に直接的に一体化されることができる。
【００１５】
同様に、エネルギー変換器を基板上に単独に作製することも可能であり、その後で基板は、例えば積層されて、チップカード上にエネルギー変換器と共に取り付けられる。
本発明はチップに関し、詳細には一体化されたエネルギー供給手段を有するチップカードに関する。エネルギー変換器は、詳細には太陽電池、好適にはポリマー太陽電池である。
【国際調査報告】
2005535050.tif 000002
2005535050.tif 000003
2005535050.tif 000004
2005535050.tif 000005
2005535050.tif 000006
2005535050.tif 000007